(57)【特許請求の範囲】
【請求項１】
エレベータの乗りかごの背面に設置されたディスプレイと、
前記ディスプレイに近接した位置に設置され、前記乗りかごの戸開動作が開始すると前記乗りかご内の撮影を開始し、前記乗りかごの戸閉動作が終了すると撮影を停止するカメラ装置と、
前記乗りかごが待機状態のときには前記ディスプレイをＯＦＦ状態にし、前記エレベータの乗場呼びが登録されたことにより前記エレベータの制御盤から乗場呼び応答指示が出力されると前記ディスプレイをＯＮ状態にして表示待機状態にし、前記乗りかごが前記乗場呼びの操作階に着床してかごドアの戸開動作が開始すると、前記カメラ装置で撮影された映像情報を前記ディスプレイに表示させ、前記かごドアの戸閉動作が終了して前記乗りかごが走行状態に移行すると、予め保持したコンテンツ情報を前記ディスプレイに表示させ、前記かごドアの戸閉動作が終了して前記乗りかごが待機状態に移行すると、前記ディスプレイをＯＦＦ状態にする表示制御装置と
を備えることを特徴とするエレベータの乗りかご内表示システム。
【発明の詳細な説明】
【技術分野】
【０００１】
本発明の実施形態は、エレベータの乗りかご内表示システムに関する。
【背景技術】
【０００２】
従来、車椅子利用者が乗車可能なエレベータでは、乗りかごのかご扉と対向する壁面に鏡を設置することで、車椅子利用者が降車する際に背後の乗りかごの出入口付近を確認しやすくしている。
【先行技術文献】
【特許文献】
【０００３】
【特許文献１】特開２０１３−２２４２０４号公報
【発明の概要】
【発明が解決しようとする課題】
【０００４】
しかし、乗りかごに設置した鏡は、車椅子利用者が乗り降りするときのみ利用されるものであり、それ以外のときや一般の利用者の搭乗時には特に果たす役目がなく、設置が無駄になってしまう場面が多いという問題があった。
【０００５】
本発明は上記事情に鑑みてなされたものであり、車椅子利用者が乗りかごに乗降する際に背後を確認しやすくするとともに、走行時には乗りかご内の利用者に情報を提供することが可能なエレベータの乗りかご内表示システムの提供を目的とする。
【課題を解決するための手段】
【０００６】
上記目的を達成するための実施形態によればエレベータの乗りかご内表示システムは、エレベータの乗りかごの背面に設置されたディスプレイと、ディスプレイに近接した位置に設置されたカメラ装置と、表示制御装置とを備える。カメラ装置は、前記乗りかごの戸開動作が開始すると前記乗りかご内の撮影を開始し、前記乗りかごの戸閉動作が終了すると撮影を停止する。表示制御装置は、乗りかごが待機状態のときにはディスプレイをＯＦＦ状態にし、乗場呼びが登録されたことによりエレベータ制御盤から乗場呼び応答指示が出力されるとディスプレイをＯＮ状態にして表示待機状態にし、乗りかごが乗場呼びの操作階に着床してかごドアの戸開動作が開始すると、カメラ装置で撮影された映像情報をディスプレイに表示させ、かごドアの戸閉動作が終了して乗りかごが走行状態に移行すると、予め保持したコンテンツ情報をディスプレイに表示させ、かごドアの戸閉動作が終了して乗りかごが待機状態に移行すると、ディスプレイをＯＦＦ状態にする。
【図面の簡単な説明】
【０００７】
【図１】一実施形態による乗りかご内表示システムを搭載したエレベータの構成を示すブロック図。
【図２】一実施形態による乗りかご内表示システムを搭載したエレベータの乗りかごの構成を示す縦断面図。
【図３】一実施形態による乗りかご内表示システムを搭載したエレベータの乗りかごの背面側壁を乗場側から見た正面図。
【図４】一実施形態による乗りかご内表示システムの動作を示すフローチャート。
【発明を実施するための形態】
【０００８】
〈一実施形態による乗りかご内表示システムを搭載したエレベータの構成〉
本発明の一実施形態による乗りかご内表示システムを搭載したエレベータの構成について、図１〜３を参照して説明する。図１は、本実施形態によるエレベータ１の構成を示すブロック図であり、図２は、エレベータ１の乗りかご２の縦断面図であり、図３は、エレベータ１の乗りかご２の背面側壁を乗場側から見た正面図である。
【０００９】
本実施形態によるエレベータ１は、建物の昇降路内を昇降する乗りかご２と、当該建物の各階のエレベータ乗場に設置された乗場操作盤３と、乗りかご２を昇降させる巻上げ機４と、乗りかご２、乗場操作盤３、および巻上げ機４に接続されたエレベータ制御盤５とを備える。乗場操作盤３は、利用者が乗りかご２を呼び寄せるために操作する乗場釦（図示せず）を有する。
【００１０】
乗りかご２は、乗場側の側壁である前面側壁２ａに設置されたかご内操作盤２１およびかごドア２２と、天井２ｂに設置された照明装置２３とを有する。かご内操作盤２１は、利用者が行先階を指定するために操作する行先階登録釦や、かごドア２２を開閉させるために操作するドア開閉釦（図示せず）を有する。また乗りかご２の天井２ｂ上には、かごドア２２を開閉させるドアモータ２４と、照明装置２３の点灯／消灯を制御する照明制御装置２５とが設置されている。
【００１１】
また乗りかご２には、かご内表示システム２６が搭載されており、当該かご内表示システム２６は、乗りかご２内の背面側壁２ｃに設置されたディスプレイ２６１と、天井２ｂ上に設置された表示制御装置２６２と、ディスプレイ２６１に近接した位置（本実施形態においてはディスプレイ２６１の周囲のディスプレイ枠２６１ａの上部中央）から乗りかご２内を撮影するように設置され、ディスプレイ２６１および表示制御装置２６２に接続されたカメラ装置２６３とを有する。表示制御装置２６２は、乗りかご２のかごドア２２の戸開動作が開始されると、カメラ装置２６３で撮影された映像情報をディスプレイ２６１に表示させ、かごドア２２の戸閉動作が終了して乗りかご２が走行状態に移行すると、予め保持したコンテンツ情報をディスプレイ２６１に表示させる。ディスプレイ２６１は、車椅子利用者が乗りかご２から降車するときに、ディスプレイ２６１に表示されたカメラ装置２６３の映像情報を見て後方を十分に確認できるような大きさのものを使用する。
【００１２】
エレベータ制御盤５は、かご内操作情報取得部５１と、乗場操作情報取得部５２と、呼び登録部５３と、動作指示出力部５４とを有する。かご内操作情報取得部５１は、かご内操作盤２１での行先階登録釦やドア開閉釦の操作情報を取得する。乗場操作情報取得部５２は、乗場操作盤３での乗場釦の操作情報を取得する。呼び登録部５３は、かご内操作盤２１における行先階登録釦操作に基づいてかご呼びを登録するとともに、乗場操作盤３における乗場釦操作に基づいて乗場呼びを登録する。動作指示出力部５４は、かご内操作情報取得部５１におけるドア開閉釦の操作情報や、呼び登録部５３に登録されたかご呼びまたは乗場呼びに基づいて、乗りかご２の昇降やかごドア２２の開閉のための各機器（巻上げ機４、ドアモータ２４等）の動作指示を生成し、該当する機器に出力する。
【００１３】
〈一実施形態による乗りかご内表示システムを搭載したエレベータの動作〉
次に、本実施形態によるエレベータ１の動作について、図４を参照して説明する。図４は、エレベータ１が動作しているときに乗りかご２のかご内表示システム２６の表示制御装置２６２で実行される処理を示すフローチャートである。
【００１４】
まず、エレベータ制御盤５において、動作指示出力部５４からエレベータ１に関する動作指示が出力されておらず、乗りかご２が待機状態になっているときには（Ｓ１）、乗りかご２内のドアモータ２４は稼動せず、照明制御装置２５により照明装置２３が消灯され、かご内表示システム２６の表示制御装置２６２によりディスプレイ２６１がＯＦＦ状態にされている（Ｓ２）。
【００１５】
そして、エレベータ乗場の利用者により乗場操作盤３の乗場釦が操作されると、当該操作情報がエレベータ制御盤５の乗場操作情報取得部５２で取得され、該当する操作階の情報を含む乗場呼びが呼び登録部５３に登録される。呼び登録部５３に乗場呼びが登録されると、動作指示出力部５４により、登録された乗場呼びに応答するための乗場呼び応答指示が生成され、乗りかご２や巻上げ機４に出力される。そして、当該乗場呼び指示に基づいて、該当する操作階に乗りかご２を着床させるように、巻上げ機４の動作が制御される。
【００１６】
乗りかご２では、乗場呼び応答指示が取得されると、かご内表示システム２６の表示制御装置２６によりディスプレイ２６１がＯＮ状態になり、表示待機状態となる。その後、乗りかご２が当該乗場呼びの操作階に着床したことが検知されると、ドアモータ２４によりかごドア２２が戸開される。かごドア２２の戸開動作が開始されると（Ｓ３の「YES」）、照明制御装置２５により照明装置２３が点灯されるとともに、表示制御装置２６２が鏡モードで動作することで、カメラ装置２６３による乗りかご２内の撮影が開始される。そして、カメラ装置２６３により撮影された動画情報がディスプレイ２６１に表示され、利用者はディスプレイ２６１の表示を鏡のように視認することができ、車椅子利用者が背後を確認しながら乗車することができる（Ｓ４）。
【００１７】
そして、乗りかご２に乗り込んだ利用者によりかご内操作盤２１の行先階登録釦が操作されると、当該操作情報がエレベータ制御盤５のかご内操作情報取得部５１で取得され、該当する行先階の情報を含むかご呼びが呼び登録部５３に登録される。呼び登録部５３にかご呼びが登録されると、動作指示出力部５４により、登録されたかご呼びに応答するためのかご呼び応答指示が生成され、乗りかご２や巻上げ機４に出力される。そして、当該かご呼び指示に基づいて、該当する行先階に乗りかご２を着床させるように、巻上げ機４の動作が制御される。また、乗りかご２においても、エレベータ制御盤５から出力されたかご呼び応答指示が取得される。
【００１８】
その後、乗りかご２内に乗り込んだ利用者によりかご内操作盤２１の戸閉釦が操作されるかまたは、予め設定された戸開時間が経過すると、動作指示出力部５４から戸閉指示が出力される。そして、当該戸閉指示に基づいて、ドアモータ２４によりかごドア２２が戸閉される。
【００１９】
かごドア２２の戸閉動作が終了すると（Ｓ５の「YES」）、表示制御装置２６２において、エレベータ制御盤５から次の動作指示が取得されているか否かが判定される（Ｓ６）。ここでは、利用者の操作に基づいて次の動作指示であるかご呼び応答指示が取得されていると判定され（Ｓ６の「YES」）、乗りかご２が走行状態に移行し、表示制御装置２６２が広告モードで動作するように切り替えられる。
【００２０】
広告モードに切り替えられると、表示制御装置２６２により、カメラ装置２６３による撮影は停止され、予め保持した広告コンテンツ情報がディスプレイ２６１に表示される（Ｓ７）。そしてステップＳ３に戻り、行先階に着床してかごドア２２の戸開動作が開始されると（Ｓ３の「YES」）、表示制御装置２６２が鏡モードで動作するように切り替えられ、カメラ装置２６３で撮影された乗りかご２内の動画情報がディスプレイ２６１に表示されることで、車椅子利用者が背後を確認しながら降車することができる（Ｓ４）。
【００２１】
次に、ステップＳ５において戸閉動作が終了したときに（Ｓ５の「YES」）、動作指示出力部５４から、次の動作指示が取得されていれば（Ｓ６の「YES」）、再度表示制御装置２６２が広告モードに切り替えられてステップＳ３〜Ｓ７の処理が繰り返される。また、ステップＳ５において戸閉動作が終了したときに（Ｓ５の「YES」）次の動作指示が取得されていなければ（Ｓ６の「NO」）、ステップＳ１に移行して乗りかご２が待機状態となり、照明制御装置２５により照明装置２３が消灯されるとともに、表示制御装置２６２によりカメラ装置２６３の撮影が終了され、またディスプレイ２６１がＯＦＦ状態となり（Ｓ２）、次の動作指示を待機する状態になる（Ｓ３）。
【００２２】
以上の本実施形態によれば、乗りかごの背面にディスプレイを設置し、その表示内容を、エレベータの運転状況に応じて適宜切り替えることで、車椅子利用者が乗りかごに乗降する際に背後を確認しやすくするとともに、走行時には乗りかご内の利用者に情報を提供することができる。
【００２３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２４】
１…エレベータ、２…乗りかご、２ａ…前面側壁、２ｂ…天井、２ｃ…背面側壁、３…乗場操作盤、４…巻上げ機、５…エレベータ制御盤、２１…かご内操作盤、２２…かごドア、２３…照明装置、２４…ドアモータ、２５…照明制御装置、２６…かご内表示システム、５１…かご内操作情報取得部、５２…乗場操作情報取得部、５３…呼び登録部、５４…動作指示出力部、２６１…ディスプレイ、２６２…表示制御装置、２６３…カメラ装置
【要約】
【課題】  車椅子利用者が乗りかごに乗降する際に背後を確認しやすくするとともに、走行時には乗りかご内の利用者に情報を提供する。
【解決手段】  実施形態によればエレベータの乗りかご内表示システムは、エレベータの乗りかごの背面に設置されたディプレイと、ディスプレイに近接した位置に設置され、乗りかご内を撮影するカメラ装置と、表示制御装置とを備える。表示制御装置は、乗りかごのかごドアの戸開動作が開始すると、カメラ装置で撮影された映像情報をディスプレイに表示させ、かごドアの戸閉動作が終了して前記乗りかごが走行状態に移行すると、予め保持したコンテンツ情報をディスプレイに表示させる。
【選択図】図１【図１】
0006049819.tif 000002
【図２】
0006049819.tif 000003
【図３】
0006049819.tif 000004
【図４】
0006049819.tif 000005